(57)【要約】【課題】毛先に適度な柔軟性と摩擦抵抗とを有し、頭皮を痛めない優れた頭皮マッサージ効果と共に、頭皮および毛穴に堆積した皮脂を効率よく洗い落とす優れた清掃効果とを兼ね備えた頭皮マッサージ用ブラシ毛材および頭皮マッサージ用ブラシの提供。【解決手段】芯鞘複合モノフィラメントからなるカットブリッスルであって、その少なくとも一端に芯部が鞘部に覆われずに露出し、ブリッスルの本体部よりも直径が細い先端部が形成されていることを特徴とする頭皮マッサージ用ブラシ毛材およびこの毛材を使用した頭皮マッサージ用ブラシ。【選択図】図１
2009240574.tif 000002
【特許請求の範囲】
【請求項１】
芯鞘複合モノフィラメントからなるカットブリッスルであって、その少なくとも一端に芯部が鞘部に覆われずに露出し、ブリッスルの本体部よりも直径が細い先端部が形成されていることを特徴とする頭皮マッサージ用ブラシ毛材。
【請求項２】
前記芯鞘複合モノフィラメントの鞘部がポリエステル樹脂および／またはナイロン樹脂からなり、芯部が熱可塑性エラストマー樹脂からなることを特徴とする請求項１に記載の頭皮マッサージ用ブラシ毛材。
【請求項３】
前記先端部の長さが０．５ｍｍ〜５ｍｍの範囲内であることを特徴とする請求項１または２に記載の頭皮マッサージ用ブラシ毛材。
【請求項４】
前記芯鞘複合モノフィラメントの芯部が、ＪＩＳ−Ｋ−７２１５のプラスチックのデュロメータ硬さ試験法で測定したデュロメータタイプＤ硬さがＨＤＤ４０〜ＨＤＤ８０の熱可塑性エラストマー樹脂からなることを特徴とする請求項１〜３に記載の頭皮マッサージ用ブラシ毛材。
【請求項５】
前記芯鞘複合モノフィラメントの鞘部がポリエステル樹脂からなり、芯部がナイロンエラストマーからなることを特徴とする請求項１〜４記載の頭皮マッサージ用ブラシ毛材。
【請求項６】
前記芯鞘複合モノフィラメントの鞘部がナイロン樹脂からなり、芯部がポリエステルエラストマーからなることを特徴とする請求項１〜４記載の頭皮マッサージ用ブラシ毛材。
【請求項７】
請求項１〜６のいずれか１項に記載の頭皮マッサージ用ブラシ毛材を少なくとも一部に使用したことを特徴とする頭皮マッサージ用ブラシ。
【発明の詳細な説明】
【技術分野】
【０００１】
本発明は、合成樹脂製の頭皮マッサージ用ブラシ毛材および頭皮マッサージ用ブラシに関するものであり、さらに詳しくは、毛先に適度な柔軟性と摩擦抵抗とを有し、頭皮を痛めることのない優れた頭皮マッサージ効果と共に、頭皮や毛穴に堆積した皮脂を効率よく洗い落とす優れた清掃効果とを兼ね備えた頭皮マッサージ用ブラシ毛材および頭皮マッサージ用ブラシに関するものである。
【背景技術】
【０００２】
これまでにも頭皮マッサージ用ブラシのマッサージ効果を改良するために様々な手法が検討されており、例えば先端に球状体を有する合成樹脂製ブリッスルをブラシ基台に植毛した洗髪および／または整髪用ヘアブラシ（例えば、特許文献１参照）が知られている。しかし、このヘアブラシはブリッスル自体が硬いために頭皮への刺激が強く、マッサージ効果に劣るという問題があった。
【０００３】
このような欠点を補うものとしては、エラストマー樹脂からなる成形体であって、ブラシ先端部に特定形状の突起を設けた頭皮マッサージ用ブラシ（例えば、特許文献２参照）が知られている。この頭皮マッサージ用ブラシは、洗髪や毛髪を手入れする際に使用されるものであるが、特に洗髪時は、エラストマー樹脂からなる錐体状突起が毛髪表面のキューティクルを削るために毛髪を傷めやすく、さらには使用感も十分満足できるものではなかった。
【０００４】
このように、従来の頭皮マッサージ用ブラシは、洗髪や整髪用としてはその機能を十分に果たすものではあるが、使用感が低く、マッサージ効果が十分でないため、清掃効果と十分なマッサージ効果とを兼ね備えた頭皮マッサージ用ブラシ毛材の実現が強く求められていた。
【特許文献１】実開昭５４−８７２７２号公報
【特許文献２】特開２００７−２８２６８１号公報
【発明の開示】
【発明が解決しようとする課題】
【０００５】
本発明は上述した従来技術における問題点の解決を課題として検討した結果達成されたものである。
【０００６】
つまり、本発明の目的は、毛先に適度な柔軟性と摩擦抵抗とを有し、頭皮を痛めることのない優れた頭皮マッサージ効果と共に、頭皮や毛穴に堆積した皮脂を効率よく洗い落とす優れた清掃効果とを兼ね備えた頭皮マッサージ用ブラシ毛材および頭皮マッサージ用ブラシを提供することにある。
【課題を解決するための手段】
【０００７】
上記目的を達成するため本発明によれば、芯鞘複合モノフィラメントからなるカットブリッスルであって、その少なくとも一端に芯部が鞘部に覆われずに露出し、ブリッスルの本体部よりも直径が細い先端部が形成されていることを特徴とする頭皮マッサージ用ブラシ毛材が提供される。
【０００８】
なお、本発明の頭皮マッサージ用ブラシ毛材においては、
前記芯鞘複合モノフィラメントの鞘部がポリエステル樹脂および／またはナイロン樹脂からなり、芯部が熱可塑性エラストマー樹脂からなること、
前記先端部の長さが０．５ｍｍ〜５ｍｍの範囲内であること、
前記芯鞘複合モノフィラメントの芯部が、ＪＩＳ−Ｋ−７２１５のプラスチックのデュロメータ硬さ試験法で測定したデュロメータタイプＤ硬さがＨＤＤ４０〜ＨＤＤ８０の熱可塑性エラストマー樹脂からなること、
前記芯鞘複合モノフィラメントの鞘部がポリエステル樹脂からなり、芯部がナイロンエラストマーからなること、および
前記芯鞘複合モノフィラメントの鞘部がナイロン樹脂からなり、芯部がポリエステルエラストマーからなること
が、いずれも好ましい条件として挙げられ、これらの件を満たした場合には、さらに優れた性能を発揮する。
【０００９】
また、本発明の頭皮マッサージ用ブラシは、前記頭皮マッサージ用ブラシ毛材を毛材の少なくとも一部に使用したことを特徴とする。
【発明の効果】
【００１０】
本発明によれば、以下に説明するとおり、従来の頭皮マッサージ用ブラシ毛材に比べて毛先に適度な柔軟性と摩擦抵抗とを有し、頭皮を痛めることのない優れた頭皮マッサージ効果と共に、頭皮や毛穴に堆積した皮脂を効率よく洗い落とす優れた清掃効果とを兼ね備えた頭皮マッサージ用ブラシ毛材および頭皮マッサージ用ブラシを得ることができる。
【発明を実施するための最良の形態】
【００１１】
以下、本発明の頭皮マッサージ用ブラシ用毛材について図１に従って説明する。
【００１２】
図１は本発明の頭皮マッサージ用ブラシ毛材の一例を示した斜視図、図２は図１のＡ−Ａ線断面図であり、１は頭皮マッサージ用ブラシ毛材、２は先端部、３は本体部、４は鞘部、５は芯部を示している。
【００１３】
毛先に適度な柔軟性と摩擦抵抗とを有し、頭皮を痛めない優れた頭皮マッサージ効果と頭皮や毛穴に堆積した皮脂を効率よく洗い落とす優れた清掃効果とを兼ね備えた頭皮マッサージ用ブラシ毛材を得るためには、図１に示すように、本発明の頭皮マッサージ用ブラシ毛材１が、芯鞘複合モノフィラメントのカットブリッスルからなり、その少なくとも一端に芯部５が鞘部４に覆われずに露出し、ブリッスルの本体部３よりも直径が細い先端部２が形成されていることが必要である。
【００１４】
すなわち、先端部２が形成されていないと頭皮を痛めやすく、マッサージ効果が得られにくいが、一端に先端部２が形成されることによって、毛先に適度な柔軟性と摩擦抵抗とが生じ、頭皮を痛めない優れた頭皮マッサージ効果と頭皮や毛穴に堆積した皮脂を効率よく洗い落とす清掃効果とを得ることができるのである。
【００１５】
なお、本発明の頭皮マッサージ用ブラシ毛材１を構成する合成樹脂は、鞘部４と芯部５がそれぞれ同じものであっても良いし、また異なるものであっても良く、特に限定されない。また使用する合成樹脂の種類についても特に限定はされない。
【００１６】
しかし、本発明の頭皮マッサージ用ブラシ毛材１のマッサージ効果と清掃効果をより高いものにするためには、鞘部４がポリエステル樹脂および／またはナイロン樹脂からなり、芯部５が熱可塑性エラストマー樹脂からなることが好ましく、さらには鞘部４がポリエステル樹脂からなり、芯部５がナイロンエラストマーからなること、または鞘部４がナイロン樹脂からなり、芯部５がポリエステルエラストマーからなることがより好ましい。
【００１７】
ここで、本発明の頭皮マッサージ用ブラシ毛材１の鞘部５で使用するポリエステル樹脂としては、ポリブチレンテレフタレート、ポリトリメチレンテレフタレート、ポリエチレンテレフタレート、ポリエチレンナフタレートなどが挙げられるが、アルカリ溶液によって鞘部４を溶解し、先端部２を容易に形成することが可能であるという点で、ポリブチレンテレフタレート、ポリトリメチレンテレフタレート、ポリエチレンテレフタレートの使用が好適である。
【００１８】
また、ナイロン樹脂の具体例としては、ωアミノ酸の重縮合反応で構成されるナイロン６、ナイロン１１、ナイロン１２や、ジアミンとジカルボン酸の共縮重合反応で構成されるナイロン６６、ナイロン６・１０、あるいはこれらを主体とする共重合体、例えばεカプロラクタムとラウリルラクタムとのωアミノ酸同士の共縮重合で構成されるナイロン６・６６、ナイロン６・１２などのナイロン共重合体が挙げられるが、酸溶液によって鞘部４を溶解し、先端部２を容易に形成することが可能であるという点で、ナイロン６・１０、ナイロン共重合体が好ましく使用が好適である。
【００１９】
さらに、本発明の頭皮マッサージ用ブラシ用毛材１の先端部２で使用する熱可塑性エラストマーとしては、ナイロンエラストマー、ポリエステルエラストマー、スチレンエラストマー、ウレタンエラストマー、オレフィンエラストマー等が挙げられるが、先端部２を容易に形成することが可能であるという点で、ナイロンエラストマー、ポリエステルエラストマーが好適である。
【００２０】
さらにまた、本発明で使用するナイロンエラストマーとしては、ナイロン６、ナイロン６・６、ナイロン１１、ナイロン１２などのポリアミドオリゴマーをハードセグメントとし、またヒドロキシポリエーテルのオリゴマーをソフトセグメントとして縮重合させて得られるポリエーテルアミドなどが挙げられる。そして、前記縮重合の際に各セグメントの分子量を変更することにより、結晶状態や微細構造の異なるものが得られる。これらナイロンエラストマーの市販品としては、例えばＡＲＵＫＥＭＡ社製“ＰＥＢＡＸ”などは容易に入手でき、本発明の頭皮マッサージ用ブラシ毛材を得る上で好ましく使用できる。
【００２１】
一方、ポリエステルエラストマーとしては、テレフタル酸に代表されるジカルボン酸成分と、エチレングリコール、１，４−ブタンジオールなどに代表されるジオール成分とからなるポリエステルハードセグメント、および分子量６００〜３０００の脂肪族ポリエーテルソフトセグメントから形成されるポリエステルエーテルブロック共重合体などが挙げられるが、特にこれに限定されるものではない。例えば、東レ・デュポン（株）製“ハイトレル”などは容易に入手でき、本発明の頭皮マッサージ用ブラシ毛材を得る上で好ましく使用できる。
【００２２】
なお、上記熱可塑性エラストマー樹脂は、ＪＩＳ−Ｋ−７２１５のプラスチックのデュロメータ硬さ試験法で測定したデュロメータタイプＤ硬さがＨＤＤ４０〜ＨＤＤ８０の範囲内にあることが好適である。
【００２３】
これは、硬さが上記範囲を下回る場合は、先端部２に必須である柔軟性が低下し、頭皮に与えるマッサージ効果が不足するばかりか、さらには毛髪が絡まることで損傷、抜けなどの好ましくない傾向が招かれる。逆に上記範囲を上回る場合は、先端部２が強固となり柔軟性が不足し、頭皮に与えるマッサージ効果が不足するばかりか、頭皮を損傷し痛める傾向となるからである。
【００２４】
本発明の目的を阻害しない範囲であれば、上記のナイロン樹脂、ポリエステル樹脂および熱可塑性エラストマーには、耐熱剤、帯電防止剤、紫外線吸収剤、可塑剤、酸化防止剤、抗菌剤、蛍光増白剤、染料および顔料などの各種添加剤を任意に含有することができ、また、これら添加剤と共に研磨剤または磨き剤、具体的には、クレー、シリカ、炭酸カルシウムまたはアパタイトおよびそれらの混合物も含有せしめることができる。
【００２５】
本発明の頭皮マッサージ用ブラシ用毛材１は芯鞘複合モノフィラメントを所望の長さ、例えば３０〜６０ｍｍの長さに切断したカットブリッスルの形状で供され、上述の通り、その少なくとも一端に芯部５が鞘部４に覆われずに露出し、ブリッスルの本体部３よりも直径が細い先端部２が形成されていることが重要であるが、この先端部２の長さは０．５〜５ｍｍ、特に１〜３．５ｍｍの範囲であることが好ましい。
【００２６】
これは、先端部２の長さが上記範囲を下回る場合は、頭皮に与えるマッサージ効果が低下するばかりか、頭皮を損傷し痛める傾向となり、逆に上記範囲を上回る場合は、先端部２のマッサージ効果が低下し、露出した先端部２に毛髪が絡まることで損傷、抜けなどを引き起こす傾向が招かれるからである。
【００２７】
また、本発明の頭皮マッサージ用ブラシ毛材の鞘部４と芯部５の断面積比率は、鞘部４が１０〜５０％であるのに対して、芯部５が９０〜５０％、特に鞘部４が２０〜３５％に対して、芯部５が８０〜６５％の範囲にあることが好ましく、
芯部５の割合が上記範囲を上回る場合は、頭皮マッサージ用ブラシ用毛材１が柔らかくなって清掃効果の低下を招きやすいばかりか、耐久性も劣る傾向となり、逆に上記範囲を下回る場合は、頭皮との摩擦抵抗が減少して清掃効果の低下を招きやすいばかりか、頭皮マッサージ効果も得られにくくなるという好ましくない傾向となる。
【００２８】
さらに、本発明の頭皮マッサージ用ブラシ用毛材１の直径は、芯部５に熱可塑性エラストマー樹脂を使用した場合は、毛材そのものが柔らかくなる傾向にあることから、直径を太く設計することが優位であり、具体的には０．３ｍｍ〜５．０ｍｍ、特に０．４５ｍｍ〜３．０ｍｍの範囲が好ましい。
【００２９】
さらにまた、本発明の頭皮マッサージ用ブラシ用毛材１の芯部６の形状は、特に制限はされず、例えば円形、または、四角形、六角形などの多角形、さらは、四葉形、六葉形、八葉形などの多葉形などが挙げられるが、頭皮マッサージ用ブラシ用毛材１には頭皮および毛穴に堆積した皮脂を効率よく洗い落とす清掃効果と頭皮マッサージ効果が要求されるため、そのバランスに優れているとの理由から、中でも円形断面形状であることが好ましい。
【００３０】
なお、先端部２の形成方法としては、鞘部４を構成する樹脂を選択的に溶解させる化学処理による方法などが挙げられ、複合素材の組み合わせなどに応じて適宜選択することができる。
【００３１】
次に、本発明の頭皮マッサージ用ブラシ用毛材１の製造方法について説明する。
【００３２】
まず、本発明の頭皮マッサージ用ブラシ用毛材１に使用する芯鞘複合モノフィラメントは、例えば、鞘部４の構成素材としてナイロン樹脂および／またはポリエステル樹脂、芯部５の構成素材として熱可塑性エラストマー樹脂を使用した場合は、これら合成樹脂に必要に応じて各種添加剤を所定量混合した後、各種合成樹脂を公知の複合溶融紡糸機に供給して溶融混練せしめ、芯鞘複合糸用のノズルから合成樹脂の溶融物を共押出する。その後共押出しされた合成樹脂溶融物は冷却固化され、延伸工程および熱セット工程を経て、巻き取られる。
【００３３】
カットブリッスルはこうして得られた芯鞘複合モノフィラメントを所望の長さにカットして得られるものであり、その後このカットブリッスルの少なくとも一端に芯部５を鞘部４から露出せしめ、先端部２を形成する。
【００３４】
先端部２の形成方法には、機械研磨により鞘部４を削り落とす方法があるが、この場合は芯部５まで研磨され易く、先端部２の形状が整えにくい。そのため、本発明の頭皮マッサージ用ブラシ毛材１においては、溶液などを使用して鞘部４を化学的に溶解除去する方法が好ましく、例えば、鞘部４にポリエステル樹脂を使用した際にはアルカリ溶液を使用し、鞘部４にナイロン樹脂を使用した際には酸溶液を使用すれば、形状の整った先端部２を容易に形成せしめることができる。
【００３５】
また、本発明の頭皮マッサージ用ブラシは、上記頭皮マッサージ用ブラシ毛材１を毛材の少なくとも一部に使用したものである。なお、本発明の頭皮マッサージ用ブラシの製造方法については特に限定はなく、公知の方法で製造することができる。
【００３６】
以上、説明したとおり、本発明の頭皮マッサージ用ブラシ用毛材１は、毛先に適度な柔軟性と摩擦抵抗とを有し、頭皮を痛めない優れた頭皮マッサージ効果と頭皮や毛穴に堆積した皮脂を効率よく洗い落とす優れた清掃効果とを兼ね備えたものである。そして、本発明の頭皮マッサージ用ブラシ用毛材１を少なくとも一部に使用した頭皮マッサージ用ブラシは、これらの特性を十分発揮し、極めて実用性の高いものである。
【実施例】
【００３７】
以下、本発明の頭皮マッサージ用ブラシ毛材および頭皮マッサージ用ブラシを実施例に基づいて説明するが、本発明はその要旨を越えない限り、以下の実施例に何ら限定されるものではない。
【００３８】
なお、評価用の頭皮マッサージ用ブラシは、実施例等で得られた頭皮マッサージ用ブラシ用毛材をブラシのハンドルに毛丈２０ｍｍになるように植毛したものであり、以下の通り評価を行なった。
【００３９】
〔清掃性評価〕
上記の頭皮マッサージ用ブラシを使用し、この頭皮マッサージ用ブラシに対して摺動面裏側から垂直に６５０ｇの荷重をかけて、仮想汚れを塗布した直径０．５ｍｍの凹部を無数に形成したステンレス板に対して、振幅２０ｍｍ、スピード１００ｒｐｍで５００回摺動させ、仮想汚れの除去率を測定した。汚れ除去率はステンレス板凹部表面について算出した。
【００４０】
〔マッサージ評価〕
頭皮マッサージ用ブラシを成人２０名に５日間使用してもらい、マッサージ感について、それぞれ回答を得た。それぞれの評価基準は次の通りである。
◎・・非常に良い、
○・・良い、
△・・普通、
×・・悪い。
【００４１】
〔実施例１〕
十分に予備脱湿乾燥したポリブチレンテレフタレート（東レ（株）製トレコン１１００Ｓ、以下ＰＢＴという）を鞘部の構成素材とし、ポリアミドエラストマー（ＡＲＵＫＥＭＡ社製ＰＥＢＡＸ６３３３）を芯部の構成素材として、複合溶融紡糸機へ供給して加熱溶融された樹脂組成物を円形断面形状のノズルから押出し、直ちに３０℃の水中で冷却した。その後、５５℃の温水と１００℃の乾熱下でトータル４．１倍に延伸した後、乾熱雰囲気中で弛緩熱処理を行い、直径１．０ｍｍ、芯部と鞘部の断面積比率がそれぞれ７５％と２５％の芯鞘複合モノフィラメントを束状に巻き取った。
【００４２】
次に、巻き取られた芯鞘複合モノフィラメントの束に紙テープを巻き、さらに２７ｍｍの長さに切断してカットブリッスルを得た。
【００４３】
そして、このカットブリッスルを水酸化ナトリウム溶液に浸漬して、先端の鞘部を溶解除去し、２ｍｍの先端部を有する頭皮マッサージ用ブラシ用毛材を得た。
【００４４】
得られた頭皮マッサージ用ブラシ用毛材を使用して頭皮マッサージ用ブラシを作製し、ブラシ特性を評価した。その結果を表１に示す。
【００４５】
〔実施例２〕
実施例１において、鞘部をＰＢＴからナイロン６・１０（東レ（株）製アミランＣＭ２００１、以下Ｎ６・１０）に変更し、芯部をポリアミドエラストマーからポリエステルエラストマー（東レ・デュポン（株）製ハイトレル６３４７）に変更して芯鞘複合モノフィラメントを紡糸し、水酸化ナトリウム溶液を硫酸溶液（硫酸溶液１００重量％とした時、硫酸９８％濃度品：５５重量％に対し、水：４５重量％を希釈配合したもの）に変更して先端の鞘部を溶解除去したこと以外は、同様の方法で頭皮マッサージ用ブラシ用毛材を作製した。
【００４６】
得られた頭皮マッサージ用ブラシ用毛材を使用して頭皮マッサージ用ブラシを作製し、ブラシ特性を評価した。その結果を表１に示す。
【００４７】
〔実施例３〕
実施例１において、芯部と鞘部の断面積比率をそれぞれ８５％と１５％に変更し、先端部の長さを２ｍｍから１ｍｍに変更した以外は、同様の方法で頭皮マッサージ用ブラシ用毛材を作製した。
【００４８】
得られた頭皮マッサージ用ブラシ用毛材を使用して頭皮マッサージ用ブラシを作製し、ブラシ特性を評価した。その結果を表１に示す。
【００４９】
〔実施例４〕
実施例２において、芯部と鞘部の断面積比率をそれぞれ６０％と４０％に変更し、先端部の長さを２ｍｍから４ｍｍに変更した以外は、同様の方法で頭皮マッサージ用ブラシ用毛材を作製した。
【００５０】
得られた頭皮マッサージ用ブラシ用毛材を使用して頭皮マッサージ用ブラシを作製し、ブラシ特性を評価した。その結果を表１に示す。  
【００５１】
〔比較例１〕
実施例１において、端部から突出した先端部の長さを０ｍｍに変更、つまり先端部の形成を省略した以外は、同様の方法で頭皮マッサージ用ブラシ用毛材を作製した。
【００５２】
得られた頭皮マッサージ用ブラシ用毛材を使用して頭皮マッサージ用ブラシを作製し、特性を評価した結果を表１に示す。  
【００５３】
〔比較例２〕
実施例１において、モノフィラメントをポリエステルエラストマー単独で形成し、かつ先端部の形成を省略した以外は、同様の方法で頭皮マッサージ用ブラシ用毛材を作製した。
【００５４】
得られた頭皮マッサージ用ブラシ用毛材を使用して頭皮マッサージ用ブラシを作製し、特性を評価した結果を表１に示す。
【００５５】
〔比較例３〕
比較例２と同様に、モノフィラメントをＰＢＴ単独で形成し、かつ先端部の形成を省略した以外は、同様の方法で頭皮マッサージ用ブラシ用毛材を作製した。
【００５６】
得られた頭皮マッサージ用ブラシ用毛材を使用して頭皮マッサージ用ブラシを作製し、特性を評価した結果を表１に示す。
【００５７】
〔比較例４〕
比較例３において、毛材先端部にテーパー部を形成した以外は、同様の方法で頭皮マッサージ用ブラシ用毛材を作製した。
【００５８】
得られた頭皮マッサージ用ブラシ用毛材を使用して頭皮マッサージ用ブラシを作製し、特性を評価した結果を表１に示す。
【００５９】
【表１】
2009240574.tif 000003
【００６０】
表１の結果から明らかなように、本発明の頭皮マッサージ用ブラシ毛材を使用した頭皮マッサージ用ブラシ（実施例１〜４）は、特に露出した先端部によって、頭皮および毛穴に堆積した皮脂が効率的に除去されていると共に、適度な柔軟性によって頭皮に優しく効果的なマッサージ効果を得ることができ、実用性の高いものであることが分かる。
【００６１】
これに対して、本発明の条件を満足しない頭皮マッサージ用ブラシ毛材を使用した頭皮マッサージ用ブラシは、マッサージ効果、洗浄性に欠けたものとなることが分かる。
【産業上の利用可能性】
【００６２】
本発明の頭皮マッサージ用ブラシ毛材およびマッサージ用ブラシは、従来の頭皮マッサージ用ブラシ毛材に比べて毛先に適度な柔軟性と摩擦抵抗とを有し、頭皮を痛めることのない優れた頭皮マッサージ効果と共に、頭皮や毛穴に堆積した皮脂を効率よく洗い落とす優れた清掃効果とを兼ね備えたものであることから、理容・美容業界分野へ寄与するところが大きい。
【図面の簡単な説明】
【００６３】
【図１】本発明の頭皮マッサージ用ブラシ毛材の一例を示した斜視図である。
【図２】図１のＡ−Ａ線断面図である。
【符号の説明】
【００６４】
１      頭皮マッサージ用ブラシ毛材
２      先端部
３      本体部
４      鞘部
５      芯部
【図１】
2009240574.tif 000004
【図２】
2009240574.tif 000005